(57)【特許請求の範囲】
【請求項１】
台上試験におけるエンジン又は車両の運転状態の試験スケジュールを管理する管理装置であって、
試験時間を基準進行単位とする時間ベーススケジュール及び走行距離を基準進行単位とする距離ベーススケジュールを記憶する手段と、
ユーザからの入力に基づいて、前記時間ベーススケジュール及び前記距離ベーススケジュールを含んで試験スケジュールを構成する手段と、
前記ユーザからの入力に基づいて、前記時間ベーススケジュールの開始に際して同期して開始すべき前記距離ベーススケジュールを指定する手段と、
前記ユーザからの入力に基づいて、繰り返し実行すべき前記時間ベーススケジュールを指定する手段と、
前記ユーザからの入力に基づいて、繰り返し実行する前記時間ベーススケジュールの繰り返し実行に際して、同期すべき前記距離ベーススケジュールを指定する手段と、
前記試験スケジュールの進行に応じて前記試験時間及び前記走行距離を算出する手段と、
前記時間ベーススケジュールの開始に際して、指定された前記距離ベーススケジュールの開始を同期する手段と、
繰り返し実行すべき前記時間ベーススケジュールの繰り返し実行に際して、同期すべき前記距離ベーススケジュールの開始を同期する手段と、
を備える管理装置。
【請求項２】
前記ユーザからの入力に基づいて、前記時間ベーススケジュールの終了に際して、実行中の前記距離ベーススケジュールがあった場合に同期して終了すべき前記距離ベーススケジュールを指定する手段と、
前記時間ベーススケジュールの終了に際して、指定された前記距離ベーススケジュールの終了を同期する手段と、を更に備える請求項１に記載の管理装置。
【請求項３】
前記ユーザからの入力に基づいて、前記時間ベーススケジュールの開始に際して、実行中の距離ベーススケジュールのうち終了するまで待機すべきものを指定する手段と、
前記時間ベーススケジュールの開始に際して、指定された前記距離ベーススケジュールの終了を待機する手段と、を更に備える請求項１又は請求項２に記載の管理装置。
【請求項４】
前記ユーザからの入力に基づいて、前記時間ベーススケジュール又は前記距離ベーススケジュールの階層構造を指定する手段と、
前記階層構造に基づいて前記時間ベーススケジュール又は前記距離ベーススケジュールを実行する手段と、を更に備える請求項１から請求項３のいずれかに記載の管理装置。
【請求項５】
前記ユーザからの入力に基づいて、中断した前記時間ベーススケジュールの再開に際して、開始を同期すべき距離ベーススケジュールを指定する手段と、
前記時間ベーススケジュールの再開に際して、指定された前記距離ベーススケジュールの開始を同期する手段と、を更に備える請求項１から請求項４のいずれかに記載の管理装置。
【請求項６】
前記ユーザからの入力に基づいて、中断した前記時間ベーススケジュールの再開に際して、実行中の距離ベーススケジュールのうち終了するまで待機すべきものを指定する手段と、
前記時間ベーススケジュールの再開に際して、指定された前記距離ベーススケジュールの終了を待機する手段と、を更に備える請求項１から請求項５のいずれかに記載の管理装置。
【請求項７】
管理装置が台上試験におけるエンジン又は車両の運転状態の試験スケジュールを管理する方法であって、
試験時間を基準進行単位とする時間ベーススケジュール及び走行距離を基準進行単位とする距離ベーススケジュールを記憶するステップと、
ユーザからの入力に基づいて、前記時間ベーススケジュール及び前記距離ベーススケジュールを含んで試験スケジュールを構成するステップと、
前記ユーザからの入力に基づいて、前記時間ベーススケジュールの開始に際して同期して開始すべき前記距離ベーススケジュールを指定するステップと、
前記ユーザからの入力に基づいて、繰り返し実行すべき前記時間ベーススケジュールを指定するステップと、
前記ユーザからの入力に基づいて、繰り返し実行する前記時間ベーススケジュールの繰り返し実行に際して、同期すべき前記距離ベーススケジュールを指定するステップと、
前記試験スケジュールの進行に応じて前記試験時間及び前記走行距離を算出するステップと、
前記時間ベーススケジュールの開始に際して、指定された前記距離ベーススケジュールの開始を同期するステップと、
繰り返し実行すべき前記時間ベーススケジュールの繰り返し実行に際して、同期すべき前記距離ベーススケジュールの開始を同期するステップと、
を含む方法。
【請求項８】
管理装置にエンジン又は車両の運転状態の試験スケジュールを管理させるプログラムであって、
試験時間を基準進行単位とする時間ベーススケジュール及び走行距離を基準進行単位とする距離ベーススケジュールを記憶するステップと、
ユーザからの入力に基づいて、前記時間ベーススケジュール及び前記距離ベーススケジュールを含んで試験スケジュールを構成するステップと、
前記ユーザからの入力に基づいて、前記時間ベーススケジュールの開始に際して同期して開始すべき前記距離ベーススケジュールを指定するステップと、
前記ユーザからの入力に基づいて、繰り返し実行すべき前記時間ベーススケジュールを指定するステップと、
前記ユーザからの入力に基づいて、繰り返し実行する前記時間ベーススケジュールの繰り返し実行に際して、同期すべき前記距離ベーススケジュールを指定するステップと、
前記試験スケジュールの進行に応じて前記試験時間及び前記走行距離を算出するステップと、
前記時間ベーススケジュールの開始に際して、指定された前記距離ベーススケジュールの開始を同期するステップと、
繰り返し実行すべき前記時間ベーススケジュールの繰り返し実行に際して、同期すべき前記距離ベーススケジュールの開始を同期するステップと、
を実行させるプログラム。
【発明の詳細な説明】
【技術分野】
【０００１】
本発明は、台上試験におけるエンジン又は車両の試験スケジュール管理装置、方法及びプログラムに関する。
【背景技術】
【０００２】
エンジン及び車両の設計・開発過程において、耐久試験、性能試験、法規制試験等の各種試験は、最も重要なプロセスの一つである。特に、エンジン等原動機の開発は最も複雑且つ長期間を要するものであり、その試験を効率的に行うために様々な提案が行われている。
【０００３】
例えば、特許文献１の台上試験装置によれば、運転パターン発生器、メモリ、スロットルアクチュエータ及び回転数ピックアップからの入力信号に基づく指令負荷信号をダイナモ制御器に入力することにより、変速機自体の抵抗分もシミュレートして当該エンジンの試験を行うことができる。
【特許文献１】特開平８−２１９９５３号公報
【発明の開示】
【発明が解決しようとする課題】
【０００４】
しかしながら、前記特許文献１に記載の装置では、時間を単位として定義された運転スケジュールと、距離を単位として定義された運転スケジュールと、が混在する試験スケジュールを統一して管理する際には、更に改善の余地がある。
【０００５】
そこで、本発明は、時間を単位として定義された運転スケジュールと、距離を単位として定義された運転スケジュールと、が混在している場合にも試験スケジュール全体を管理可能な管理装置を提供することを目的とする。
【課題を解決するための手段】
【０００６】
より具体的には、次のようなものを提供する。
【０００７】
（１）  台上試験におけるエンジン又は車両の運転状態の試験スケジュールを管理する管理装置（管理装置１０）であって、
試験時間を基準進行単位とする時間ベーススケジュール（１２０２）及び走行距離を基準進行単位とする距離ベーススケジュール（１２０１）を記憶する手段（例えば、記憶部１２０）と、
ユーザからの入力に基づいて、前記時間ベーススケジュール及び前記距離ベーススケジュールを含んで試験スケジュール（１２０３）を構成する手段（例えば、試験スケジュール構成手段１１０１）と、
前記ユーザからの入力に基づいて、前記時間ベーススケジュールの開始に際して同期して開始すべき前記距離ベーススケジュールを指定する手段（例えば、同期開始指定手段１１０２）と、
前記試験スケジュールの進行に応じて前記試験時間及び前記走行距離を算出する手段（例えば、走行距離算出手段１１０３）と、
前記時間ベーススケジュールの開始に際して、指定された前記距離ベーススケジュールの開始を同期する手段（例えば、同期開始手段１１０４）と、を備える管理装置。
【０００８】
本発明のこのような構成によれば、前記管理装置は、試験時間を基準進行単位とする時間ベーススケジュール及び走行距離を基準進行単位とする距離ベーススケジュールを記憶し、
ユーザからの入力に基づいて、前記時間ベーススケジュール及び前記距離ベーススケジュールを含んで試験スケジュールを構成し、
前記ユーザからの入力に基づいて、前記時間ベーススケジュールの開始に際して同期して開始すべき前記距離ベーススケジュールを指定し、
前記試験スケジュールの進行に応じて前記時間及び前記走行距離を算出し、
前記時間ベース手段の開始に際して、指定された前記距離ベーススケジュールの開始を同期する。
【０００９】
このことにより、前記管理装置は、距離ベーススケジュール及び時間ベーススケジュールが混在した試験スケジュールを、ユーザからの入力に基づいて所定の距離ベーススケジュールを所定の時間ベーススケジュールの開始に同期させて開始させることにより自動的に実行することができる。
【００１０】
その結果、前記管理装置は、試験時間の経過に応じて実施するエンジン回転数の制御等の時間ベーススケジュールと、走行距離に応じて実施する勾配抵抗の制御等の距離ベーススケジュールと、を組み合わせて、複雑な試験スケジュールを自動的に実行することができる。
【００１１】
なお、前記時間ベーススケジュール及び前記距離ベーススケジュールは、前記エンジン又は車両の運転指令を指定するものや、計測の実行を指定するものや、周辺機器の準備や後処理を指定するもの等を含んでもよい。
【００１２】
（２）  前記ユーザからの入力に基づいて、繰り返し実行すべき前記時間ベーススケジュールを指定する手段（例えば、ループ実行指定手段１１０５）と、
前記ユーザからの入力に基づいて、繰り返し実行する前記時間ベーススケジュールの繰り返し実行に際して、同期すべき前記距離ベーススケジュールを指定する手段（例えば、ループ時同期指定手段１１０６）と、
繰り返し実行すべき前記時間ベーススケジュールの繰り返し実行に際して、同期すべき前記距離ベーススケジュールの開始を同期する手段（例えば、ループ時同期手段１１０７）と、を更に備える（１）に記載の管理装置。
【００１３】
本発明のこのような構成によれば、前記管理装置は、前記ユーザからの入力に基づいて、繰り返し実行すべき前記時間ベーススケジュールを指定し、
前記ユーザからの入力に基づいて、繰り返し実行する前記時間ベーススケジュールの繰り返し実行に際して、同期すべき前記距離ベーススケジュールを指定し、
繰り返し実行すべき前記時間ベーススケジュールの繰り返し実行に際して、同期すべき前記距離ベーススケジュールの開始を同期する。
【００１４】
このことにより、前記管理装置は、繰り返し実行する前記時間ベーススケジュールの繰り返し実行に際して、指定された所定の距離ベーススケジュールの開始を同期させることができる。
【００１５】
その結果、ユーザは、繰り返し実行する前記時間ベーススケジュールの繰り返し実行に際して、同期すべき前記距離ベーススケジュールを設定することができる。
【００１６】
このように、前記管理装置は、繰り返し実行する前記時間ベーススケジュールを含む試験スケジュールにおいて、前記距離ベーススケジュールの開始の同期に関してよりきめの細かい設定を行うことができる。
【００１７】
（３）  前記ユーザからの入力に基づいて、前記時間ベーススケジュールの終了に際して、実行中の前記距離ベーススケジュールがあった場合に同期して終了すべき前記距離ベーススケジュールを指定する手段（例えば、同期終了指定手段１１０８）と、
前記時間ベーススケジュールの終了に際して、指定された前記距離ベーススケジュールの終了を同期する手段（例えば、同期終了手段１１０９）と、を更に備える（１）又は（２）に記載の管理装置。
【００１８】
本発明のこのような構成によれば、前記管理装置は、前記ユーザからの入力に基づいて、前記時間ベーススケジュールの終了に際して、実行中の前記距離ベーススケジュールがあった場合に同期して終了すべき前記距離ベーススケジュールを指定し、
前記時間ベーススケジュールの終了に際して、指定された前記距離ベーススケジュールの終了を同期する。
【００１９】
このことにより、前記管理装置は、前記ユーザに指定された所定の前記時間ベーススケジュールの終了に際して、所定の前記距離ベーススケジュールを同期して終了させることができる。
【００２０】
その結果、前記管理装置は、前記時間ベーススケジュールの終了に際して、前記距離ベーススケジュールの終了の同期に関してよりきめの細かい指定を行うことができる。
【００２１】
（４）  前記ユーザからの入力に基づいて、前記時間ベーススケジュールの開始に際して、実行中の距離ベーススケジュールのうち終了するまで待機すべきものを指定する手段（例えば、終了待機指定手段１１１０）と、
前記時間ベーススケジュールの開始に際して、指定された前記距離ベーススケジュールの終了を待機する手段（例えば、終了待機手段１１１１）と、を更に備える（１）から（３）のいずれかに記載の管理装置。
【００２２】
本発明のこのような構成によれば、前記管理装置は、前記ユーザからの入力に基づいて、前記時間ベーススケジュールの開始に際して、実行中の距離ベーススケジュールのうち終了するまで待機すべきものを指定し、
前記時間ベーススケジュールの開始に際して、指定された前記距離ベーススケジュールの終了を待機する。
【００２３】
このことにより、前記管理装置は、前記ユーザに指定された所定の前記時間ベーススケジュールの開始に際して、所定の前記距離ベーススケジュールの終了を待機させることができる。
【００２４】
その結果、前記管理装置は、前記時間ベーススケジュールの開始に際して、終了を待機すべき前記距離ベーススケジュールに関してよりきめの細かい設定を行うことができる。
【００２５】
（５）  前記ユーザからの入力に基づいて、前記時間ベーススケジュール又は前記距離ベーススケジュールの階層構造を指定する手段（例えば、階層構造指定手段１１１２）と、
前記階層構造に基づいて前記時間ベーススケジュール又は前記距離ベーススケジュールを実行する手段（例えば、階層構造実行手段１１１３）と、を更に備える（１）から（４）のいずれかに記載の管理装置。
【００２６】
本発明のこのような構成によれば、前記管理装置は、前記ユーザからの入力に基づいて、前記時間ベーススケジュール又は前記距離ベーススケジュールの階層構造を指定し、
前記階層構造に基づいて前記時間ベーススケジュール又は前記距離ベーススケジュールを実行する。
【００２７】
このことにより、前記管理装置は、より複雑な試験スケジュールを、前記階層構造を用いて、重複定義を避けつつより単純に定義することができる。
【００２８】
その結果、前記管理装置は、より少ないハードウェア資源を用いて実行可能とすると共に、前記ユーザによる試験スケジュールのメンテナンスをより容易且つ確実なものとすることができる。
【００２９】
（６）  前記ユーザからの入力に基づいて、中断した前記時間ベーススケジュールの再開に際して、開始を同期すべき距離ベーススケジュールを指定する手段（例えば、再開時同期指定手段１１１４）と、
前記時間ベーススケジュールの再開に際して、指定された前記距離ベーススケジュールの開始を同期する手段（例えば、再開時同期手段１１１５）と、を更に備える（１）から（５）のいずれかに記載の管理装置。
【００３０】
本発明のこのような構成によれば、前記管理装置は、前記ユーザからの入力に基づいて、中断した前記時間ベーススケジュールの再開に際して、開始を同期すべき距離ベーススケジュールを指定し、
前記時間ベーススケジュールの再開に際して、指定された前記距離ベーススケジュールの開始を同期する。
【００３１】
このことにより、前記管理装置は、前記ユーザに指定された所定の中断した前記時間ベーススケジュールの再開の際に、所定の前記距離ベーススケジュールの開始を同期することができる。
【００３２】
その結果、前記管理装置は、所定の中断した前記時間ベーススケジュールの再開の際に、前記距離ベーススケジュールの開始の同期に関してより決めの細かい指定をすることができる。
【００３３】
（７）  前記ユーザからの入力に基づいて、中断した前記時間ベーススケジュールの再開に際して、実行中の距離ベーススケジュールのうち終了するまで待機すべきものを指定する手段（例えば、再開時終了待機指定手段１１１６）と、
前記時間ベーススケジュールの再開に際して、指定された前記距離ベーススケジュールの終了を待機する手段（例えば、再開時終了待機手段１１１７）と、を更に備える（１）から（６）のいずれかに記載の管理装置。
【００３４】
本発明のこのような構成によれば、前記管理装置は、前記ユーザからの入力に基づいて、中断した前記時間ベーススケジュールの再開に際して、実行中の距離ベーススケジュールのうち終了するまで待機すべきものを指定し、
前記時間ベーススケジュールの再開に際して、指定された前記距離ベーススケジュールの終了を待機する。
【００３５】
このことにより、前記管理装置は、前記ユーザに指定された所定の中断した前記時間ベーススケジュールの再開の際に、所定の距離ベーススケジュールの終了を待機することができる。
【００３６】
その結果、前記管理装置は、所定の中断した前記時間ベーススケジュールの再開の際に、前記距離ベーススケジュールの終了待機に関してより決めの細かい指定を行うことができる。
【００３７】
（８）  管理装置（管理装置１０）が台上試験におけるエンジン又は車両の運転状態の試験スケジュールを管理する方法であって、
試験時間を基準進行単位とする時間ベーススケジュール（１２０２）及び走行距離を基準進行単位とする距離ベーススケジュール（１２０１）を記憶するステップと、
ユーザからの入力に基づいて、前記時間ベーススケジュール及び前記距離ベーススケジュールを含んで試験スケジュール（１２０３）を構成するステップと、
前記ユーザからの入力に基づいて、前記時間ベーススケジュールの開始に際して同期して開始すべき前記距離ベーススケジュールを指定するステップと、
前記試験スケジュールの進行に応じて前記試験時間及び前記走行距離を算出するステップと、
前記時間ベース手段の開始に際して、指定された前記距離ベーススケジュールの開始を同期するステップと、を含む方法。
【００３８】
本発明に係るこのような方法を前記管理装置が実行することにより（１）と同様の作用・効果を奏する。
【００３９】
（９）  管理装置（管理装置１０）に台上試験におけるエンジン又は車両の運転状態の試験スケジュールを管理させるプログラムであって、
試験時間を基準進行単位とする時間ベーススケジュール（１２０２）及び走行距離を基準進行単位とする距離ベーススケジュール（１２０１）を記憶するステップと、
ユーザからの入力に基づいて、前記時間ベーススケジュール及び前記距離ベーススケジュールを含んで試験スケジュール（１２０３）を構成するステップと、
前記ユーザからの入力に基づいて、前記時間ベーススケジュールの開始に際して同期して開始すべき前記距離ベーススケジュールを指定するステップと、
前記試験スケジュールの進行に応じて前記試験時間及び前記走行距離を算出するステップと、
前記時間ベース手段の開始に際して、指定された前記距離ベーススケジュールの開始を同期するステップと、を実行させるプログラム。
【００４０】
本発明に係るこのようなプログラムを前記管理装置に導入して実行することにより（１）と同様の作用・効果を奏する。
【発明の効果】
【００４１】
本発明により、前記管理装置は、距離ベーススケジュール及び時間ベーススケジュールが混在した試験スケジュールを、ユーザからの入力に基づいて所定の距離ベーススケジュールを所定の時間ベーススケジュールの開始に同期させて開始させることにより自動的に実行することができる。その結果、前記管理装置は、時間の経過に応じて実施するエンジン回転数の制御等の時間ベーススケジュールと、走行距離に応じて実施する勾配抵抗の制御等の距離ベーススケジュールと、を組み合わせて、複雑な試験スケジュールを自動的に実行することができる。
【発明を実施するための最良の形態】
【００４２】
以下、本発明の実施形態について図面を参照して説明する。
［管理装置１０のハードウェア構成］
【００４３】
図１は、本発明の好適な実施形態の一例に係る管理装置１０のハードウェア構成の一例を示す図である。図１に示すように、制御部１１０、記憶部１２０、入力部１３０、表示部１４０、及び通信Ｉ／Ｆ部１５０がバス１６０により接続されて管理装置１０を構成する。
【００４４】
入力部１３０は、マウス並びにキーボード等の入力装置により実現することができる。又、通信Ｉ／Ｆ部１５０は、ＬＡＮアダプタ並びにモデムアダプタ等により実現することができる。更に、制御部１１０は、ＣＰＵ（Ｃｅｎｔｒａｌ  Ｐｒｏｃｅｓｓｉｎｇ  Ｕｎｉｔ）により構成してよく、管理装置１０全体を制御し、例えば、記憶部１２０に記憶されたプログラムを読み出して実行することにより、後述する各種処理を実現している。そして又、表示部１４０は、液晶表示装置（ＬＣＤ）、並びにブラウン管表示装置（ＣＲＴ）等により実現することができる。そして更に、記憶部１２０は、ハードディスク並びに半導体メモリ等で実現することができる。
【００４５】
以上の例は、管理装置１０について主に説明したが、コンピュータに、プログラムをインストールして、そのコンピュータをサーバ装置として動作させることにより上記で説明した機能を実現することもできる。従って、本発明において一実施形態として説明した管理装置１０により実現される機能は、上述の方法を当該コンピュータにより実行することにより、或いは、上述のプログラムを当該コンピュータに導入して実行することによっても実現可能である。
［端末２０のハードウェア構成］
【００４６】
端末２０は、図１に示すように、上述の管理装置１０と同様の構成を備えてよい。なお、入力部２３０、通信Ｉ／Ｆ部２５０、制御部２１０、表示部２４０、及び記憶部２２０がバス２６０により接続されて端末２０を構成する。
［本システムの機能構成］
【００４７】
図２は、本発明の好適な実施形態の一例に係るシステム１の機能構成を示す図である。
【００４８】
本実施形態におけるシステム１は、管理装置１０が、通信ネットワークを介して、端末２０と接続可能な状態で構成される。なお、以下の実施例はこのような形態を前提に説明するが、管理装置１０のみでシステム１を構成してもよい。また、管理装置１０を複数のコンピュータで実現してもよい。
【００４９】
管理装置１０は、記憶部１２０に、距離ベーススケジュール１２０１、時間ベーススケジュール１２０２及び試験スケジュール１２０３を記憶する。
【００５０】
更に、制御部１１０は、記憶部１２０からプログラムを読み込んで実行することにより、試験スケジュール構成手段１１０１等の各種手段を実現している。
【００５１】
試験スケジュール構成手段１１０１は、端末２０のユーザからの入力に基づいて、距離ベーススケジュール１２０１及び時間ベーススケジュール１２０２を含んで試験スケジュール１２０３を構成する。
【００５２】
同期開始指定手段１１０２は、端末２０のユーザからの入力に基づいて、時間ベーススケジュール１２０２の開始に際して同期して開始すべき距離ベーススケジュール１２０１を指定する。
【００５３】
走行距離算出手段１１０３は、試験スケジュール１２０３の進行に応じて試験時間及び走行距離を算出する。
【００５４】
同期開始手段１１０４は、時間ベーススケジュール１２０２の開始に際して、指定された距離ベーススケジュール１２０１の開始を同期する。
【００５５】
ループ実行指定手段１１０５は、端末２０のユーザからの入力に基づいて、繰り返し実行すべき時間ベーススケジュール１２０２を指定する。
【００５６】
ループ時同期指定手段１１０６は、端末２０のユーザからの入力に基づいて、繰り返し実行する時間ベーススケジュール１２０２の繰り返し実行に際して、同期すべき距離ベーススケジュール１２０１を指定する。
【００５７】
ループ時同期手段１１０７は、繰り返し実行すべき時間ベーススケジュール１２０２の繰り返し実行に際して、同期すべき距離ベーススケジュール１２０１の開始を同期する。
【００５８】
同期終了指定手段１１０８は、端末２０のユーザからの入力に基づいて、時間ベーススケジュール１２０２の終了に際して、実行中の距離ベーススケジュール１２０１があった場合に同期して終了すべき距離ベーススケジュール１０２１を指定する。
【００５９】
同期終了手段１１０９は、時間ベーススケジュール１２０２の終了に際して、指定された距離ベーススケジュール１２０１の終了を同期する。
【００６０】
終了待機指定手段１１１０は、端末２０のユーザからの入力に基づいて、時間ベーススケジュール１２０２の開始に際して、実行中の距離ベーススケジュールのうち終了するまで待機すべきもの１２０１を指定する。
【００６１】
終了待機手段１１１１は、時間ベーススケジュール１２０２の開始に際して、指定された距離ベーススケジュール１２０１の終了を待機する。
【００６２】
階層構造指定手段１１１２は、端末２０のユーザからの入力に基づいて、時間ベーススケジュール１２０２又は距離ベーススケジュール１２０１の階層構造を指定する。
【００６３】
階層構造実行手段１１１３は、階層構造に基づいて時間ベーススケジュール１２０２又は距離ベーススケジュール１２０１を実行する。
【００６４】
再開時同期指定手段１１１４は、端末２０のユーザからの入力に基づいて、中断した時間ベーススケジュール１２０２の再開に際して、開始を同期すべき距離ベーススケジュール１２０１を指定する。
【００６５】
再開時同期手段１１１５は、時間ベーススケジュール１２０２の再開に際して、指定された距離ベーススケジュール１２０１の開始を同期する。
【００６６】
再開時終了待機指定手段１１１６は、端末２０のユーザからの入力に基づいて、中断した時間ベーススケジュール１２０２の再開に際して、実行中の距離ベーススケジュールのうち終了するまで待機すべきもの１２０１を指定する。
【００６７】
再開時終了待機手段１１１７は、時間ベーススケジュール１２０２の再開に際して、指定された距離ベーススケジュール１２０１の終了を待機する。
【００６８】
図３は、本発明の好適な実施形態の一例に係るシステムが管理する試験スケジュールの構成を示す図である。試験スケジュール構成手段１１０１は、以下のように試験スケジュールを構成する。ステップ情報とは、試験実行の基本単位である。個別パターンは、各ステップの集合体として定義する。個別スケジューラは個別パターンの集合体として定義する。そして試験スケジューラは個別スケジューラの集合体として定義する。なお、試験スケジューラ・個別スケジューラは同時に複数実行が可能であり、試験スケジューラは階層が１階層のみが定義できるのに対して、個別スケジューラは多重階層を定義することも可能である。
【００６９】
図４は、本発明の好適な実施形態の一例に係るシステムが管理するスケジュールの別の例を示す図である。試験スケジューラと同様に、試験前に実行する試験前スケジューラ、試験後に実行する試験後スケジューラ、試験中に警告が発生したときに実行するスケジューラであり、この後、エンドスロープを実行して終了する。
【００７０】
図５乃至図１１は、本発明の好適な実施形態の一例に係る試験スケジュールの構成例を示す図である。図２において示した各種手段により、以下に説明する様々な試験スケジュールを実行することが可能となる。
【００７１】
図５に示す試験スケジュールは、同期開始指定手段１１０２或いは同期開始手段１１０４により、試験前準備を始める際にスケジュール同期を実施して試験前準備からデータ計測を始めるのに対して、図６に示す試験スケジュールは、本試験を始める際にスケジュール同期を実施してデータ計測を開始する。また、図７に示す試験スケジュールは、階層構造指定手段１１１２或いは階層構造実行手段１１１３により、各スケジュールが階層構造を持ち、例えば、ＥＣＵ制御１、ＥＣＵ制御２及びデータ計測の各ステップが階層構造を持つ。
【００７２】
図８に示す試験スケジュールは、非同期でデータ計測を実施する例である。図９はメインの試験スケジューラのほかに複数の試験スケジューラ（試験スケジューラ２及び試験スケジューラ３）を非同期で実行する例である。図１０に示す試験スケジュールは、繰り返し実施する際に同期しない例であるのに対して、図１１に示す試験スケジュールは、繰り返し実施する際に、前のスケジュールは途中中断してステップ同期を行う。
【００７３】
図１２乃至図１７は、本発明の好適な実施形態の一例に係る試験スケジュールの表記の例について説明する図である。図１２に示すように、個別スケジューラＩＳ１が個別パターンＰ１、Ｐ２及びＰ３を順に実行する場合、ＩＳ１＝Ｐ１＋Ｐ２＋Ｐ３と表記する。更に図１３に示すように、試験スケジューラＳＣ１が個別スケジューラＩＳ１を２回繰り返す際に、ループ時同期指定手段１１０６或いはループ時同期手段１１０７により、ＩＳ１の繰り返し時に同期してもよい。この場合には、ＩＳ２は途中で中断される。一方、図１４に示すように、ＩＳ１の繰り返し時に同期しなくてもよい。この場合には、ＩＳ２は最後まで実行される。
【００７４】
図１５に示すように、パターンに２つのステップが定義されている場合、最初のステップの実行中には、まだ実行されていない次のステップは書き換えが可能であり、また、実行するか否かを、当該最初のステップの実行中に決定することができる。
【００７５】
図１６及び図１７は、図１２及び図１３の関係と同様であるが、繰り返し時に同期するか否かを個別パターンＰ１の繰り返し時に同期するか否かを定義する例である。図１６の場合、Ｐ１の繰り返し時に同期するため、ＩＳ２は途中で中断される。一方図１７の場合、Ｐ１の繰り返し時に同期しないため、ＩＳ２は最後まで実行される。
【００７６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７７】
【図１】本発明の好適な実施形態の一例に係る管理装置１０のハードウェア構成の一例を示す図である。
【図２】本発明の好適な実施形態の一例に係るシステム１の機能構成を示す図である。
【図３】本発明の好適な実施形態の一例に係るシステムが管理する試験スケジュールの構成を示す図である。
【図４】本発明の好適な実施形態の一例に係るシステムが管理するスケジュールの別の例を示す図である。
【図５】本発明の好適な実施形態の一例に係る試験スケジュールの構成例を示す図である。
【図６】本発明の好適な実施形態の一例に係る試験スケジュールの構成例を示す図である。
【図７】本発明の好適な実施形態の一例に係る試験スケジュールの構成例を示す図である。
【図８】本発明の好適な実施形態の一例に係る試験スケジュールの構成例を示す図である。
【図９】本発明の好適な実施形態の一例に係る試験スケジュールの構成例を示す図である。
【図１０】本発明の好適な実施形態の一例に係る試験スケジュールの構成例を示す図である。
【図１１】本発明の好適な実施形態の一例に係る試験スケジュールの構成例を示す図である。
【図１２】本発明の好適な実施形態の一例に係る試験スケジュールの表記の例について説明する図である。
【図１３】本発明の好適な実施形態の一例に係る試験スケジュールの表記の例について説明する図である。
【図１４】本発明の好適な実施形態の一例に係る試験スケジュールの表記の例について説明する図である。
【図１５】本発明の好適な実施形態の一例に係る試験スケジュールの表記の例について説明する図である。
【図１６】本発明の好適な実施形態の一例に係る試験スケジュールの表記の例について説明する図である。
【図１７】本発明の好適な実施形態の一例に係る試験スケジュールの表記の例について説明する図である。
【符号の説明】
【００７８】
１        管理システム
１０      管理装置
２０      端末
１１０、２１０    制御部
１２０、２２０    記憶部
１３０、２３０    入力部
１４０、２４０    表示部
１５０、２５０    通信Ｉ／Ｆ部
１６０、２６０    バス
【図１】
0005173587.tif 000002
【図２】
0005173587.tif 000003
【図３】
0005173587.tif 000004
【図４】
0005173587.tif 000005
【図５】
0005173587.tif 000006
【図６】
0005173587.tif 000007
【図７】
0005173587.tif 000008
【図８】
0005173587.tif 000009
【図９】
0005173587.tif 000010
【図１０】
0005173587.tif 000011
【図１１】
0005173587.tif 000012
【図１２】
0005173587.tif 000013
【図１３】
0005173587.tif 000014
【図１４】
0005173587.tif 000015
【図１５】
0005173587.tif 000016
【図１６】
0005173587.tif 000017
【図１７】
0005173587.tif 000018